(57)【要約】【課題】電鋳成形品（コンタクト端子）どうしの絶縁性を保ちながら、電鋳成形品どうしを狭ピッチで並べることのできる電鋳部品を提供する。【解決手段】コンタクト素子２５（電鋳成形品）は、電鋳法により製造されている。コンタクト素子２５の表面には、ドライレフィルムジストなどを用いて形成された絶縁被膜２８が設けられている。絶縁被膜２８は、コンタクト素子２５の製造工程において、コンタクト素子２５の製造後の工程において設けられている。【選択図】図２２
2015030887.tif 000002
【特許請求の範囲】
【請求項１】
導電性基材の少なくとも一部が露出した開口を有する絶縁性の型枠の前記開口内において前記導電性基材の露出面に金属を電着させて電鋳成形品を作製する電着工程と、
前記導電性基材の表面から前記型枠を除去する型枠除去工程と、
前記電鋳成形品の表面を絶縁被膜で覆う絶縁被膜形成工程と、
前記電鋳成形品の表面の少なくとも一部に前記絶縁被膜を残して前記絶縁被膜を除去する絶縁被膜除去工程と、
を有することを特徴とする電鋳部品の製造方法。
【請求項２】
前記導電性基材の表面に付与された絶縁性の型枠材料の一部に前記開口を設けて前記開口内に前記導電性基材の一部が露出した前記型枠を作製する型枠作製工程と、
前記絶縁被膜除去工程の後、表面に前記絶縁被膜を形成された前記電鋳成形品を前記導電性基材から剥離する剥離工程と、
を有することを特徴とする、請求項１に記載の電鋳部品の製造方法。
【請求項３】
前記絶縁被膜形成工程において前記電鋳成形品の表面を覆う絶縁被膜は、ドライフィルムレジストであることを特徴とする、請求項１に記載の電鋳部品の製造方法。
【請求項４】
前記絶縁被膜形成工程において前記電鋳成形品の表面を覆う絶縁被膜は、前記電鋳成形品の表面に適用された液体レジストであることを特徴とする、請求項１に記載の電鋳部品の製造方法。
【請求項５】
前記絶縁被膜が、感光性被膜であって、
前記絶縁被膜除去工程が、
前記絶縁被膜形成工程の後に、前記電鋳成形品の位置を基準として前記絶縁被膜に光を照射し、前記電鋳成形品の表面の少なくとも一部にあたる領域を現像液に対して不溶化する露光工程と、
前記絶縁被膜に現像処理を行って不溶化されていない領域の前記絶縁被膜を除去する現像工程と、
を備えていることを特徴とする、請求項１に記載の電鋳部品の製造方法。
【請求項６】
前記絶縁被膜が、感光性被膜であって、
前記絶縁被膜除去工程が、
前記絶縁被膜形成工程の後に、前記電鋳成形品の位置を基準として前記絶縁被膜に光を照射し、前記電鋳成形品の表面の少なくとも一部にあたる領域以外の領域を可溶化する露光工程と、
前記絶縁被膜に現像処理を行って可溶化された領域の前記絶縁被膜を除去する現像工程と、
を備えていることを特徴とする、請求項１に記載の電鋳部品の製造方法。
【請求項７】
前記導電性基材の表面に付与された絶縁性の型枠材料の一部に前記開口を設けて前記開口内に前記導電性基材の一部が露出した前記型枠を作製するとともに、前記型枠材料によって位置決めマーク作製用の凹部又は凸部を形成する型枠作製工程を備え、
前記電着工程において、前記開口内に前記電鋳成形品を作製するとともに前記位置決めマーク作製用の凹部又は凸部によって凸状又は凹状の位置決めマークを作製し、
前記露光工程においては前記位置決めマークの位置を基準にして光を照射する、
ことを特徴とする請求項５または６に記載の電鋳部品の製造方法。
【請求項８】
位置決めマークを有する前記導電性基材の表面に絶縁性の型枠材料を付与する型枠材料付与工程と、
前記位置決めマークの位置を基準にして前記型枠材料の一部に前記開口を設けて前記開口内に前記導電性基材の一部が露出した前記型枠を作製する型枠作製工程と、
を備え、
前記露光工程においては前記位置決めマークの位置を基準にして光を照射する、
ことを特徴とする請求項５または６に記載の電鋳部品の製造方法。
【請求項９】
前記電鋳成形品が、コンタクトであることを特徴とする、請求項１に記載の電鋳部品の製造方法。
【請求項１０】
電鋳法で形成するときの電圧印加方向に対して垂直な方向に弾性変形可能なバネ部、および前記バネ部によって外部導体と圧接可能な位置に配置された端子部を備えた電鋳成形品と、
前記電鋳成形品の、前記電圧印加方向に対して垂直な主面の少なくとも一部に形成された絶縁被膜と、
を有するコンタクト。
【請求項１１】
前記電鋳成形品の一方の主面の少なくとも一部に前記絶縁被膜が形成されたことを特徴とする、請求項１０に記載のコンタクト。
【請求項１２】
前記電鋳成形品の両主面のそれぞれにおいて少なくとも一部に前記絶縁被膜が形成されたことを特徴とする、請求項１０に記載のコンタクト。
【請求項１３】
複数枚の前記電鋳成形品と前記絶縁被膜とが交互に重ねられたことを特徴とする、請求項１０に記載のコンタクト。
【請求項１４】
前記電鋳成形品の前記絶縁被膜から露出した領域にはメッキが施されていることを特徴とする、請求項１０に記載のコンタクト。
【請求項１５】
前記絶縁被膜は、前記電鋳成形品のバネ部を除く領域に形成されていることを特徴とする、請求項１０に記載のコンタクト。
【請求項１６】
前記絶縁被膜は、前記電鋳成形品の弾性変形時における応力集中箇所を除く領域に形成されていることを特徴とする、請求項１０に記載のコンタクト。
【請求項１７】
電鋳法で形成するときの電圧印加方向に対して垂直な主面の少なくとも一部に絶縁被膜が形成されたことを特徴とする電鋳部品。
【発明の詳細な説明】
【技術分野】
【０００１】
本発明は、電鋳部品及びその製造方法に関する。
【背景技術】
【０００２】
図１は、従来例による電鋳部品、すなわちコンタクトの製造方法を示す斜視図である。まず前処理として、図１（Ａ）に示すように、導電性基材１１の表面を電解脱脂する。ついで、図１（Ｂ）に示すように、導電性基材１１の表面にフォトレジスト１２を塗布して成膜する。導電性基材１１の表面のフォトレジスト１２には、図１（Ｃ）に示すように、直描露光装置によりコンタクト形状の領域を除く領域に沿ってレーザー光１３を走査させる。フォトレジスト１２がネガ型である場合には、フォトレジスト１２の露光部分は不溶性となる。したがって、現像工程によって露光されていない部分を除去すると、図１（Ｄ）に示すように、フォトレジスト１２にはコンタクト形状をした開口１４（キャビティ）ができる。この後、電鋳法によって導電性基材１１の露出面に金属材料を析出させると、図１（Ｅ）に示すように、開口１４内に電鋳部品、すなわちコンタクト１５が得られる。ついで、図１（Ｆ）のようにフォトレジスト１２を導電性基材１１から剥離させ、図１（Ｇ）のようにコンタクト１５を導電性基材１１から離型させると、目的とするコンタクト１５が作製される。
【０００３】
上記のようなコンタクトは、狭ピッチで、かつ絶縁性を保ちながら複数並べて使用されることがある。例えば、特許文献１に記載されているように、高密度の被測定微細回路基板の電気検査を行うためのプローブカードに使用する場合がある。特許文献１に記載されているプローブカードでは、一対の基板間に絶縁体を挟み込み、絶縁体に設けた複数の貫通孔に上記コンタクトを一つずつ納めている。各基板には絶縁体の貫通孔に対向させてそれぞれ支持孔を開口してあり、各コンタクトの両端が各基板の支持孔に挿通されている。
【０００４】
上記のようなプローブカードでは、各コンタクトの先端を、被測定微細回路基板の電極（電極間ピッチ：３０μｍ−２００μｍ）に接触させる。したがって、被測定微細回路基板の電極ピッチが短くなると、それに伴ってコンタクトもますます狭ピッチで配置しなければならなくなる。
【０００５】
しかし、特許文献１に記載されているような構造であると、コンタクト間のピッチを狭くするためには貫通孔間や支持孔間の壁厚を薄くしなければならなり、プローブカードの強度上の問題が生じる。また、貫通孔間や支持孔間のピッチを狭くできたとしても、厚みが薄くて微小なコンタクトを貫通孔や支持孔に挿入して並べる作業は困難である。
【先行技術文献】
【特許文献】
【０００６】
【特許文献１】特開２０１２−１３２６８５号公報
【発明の概要】
【発明が解決しようとする課題】
【０００７】
本発明の目的とするところは、コンタクト素子などの電鋳成形品どうしの絶縁性を保ちながら、電鋳成形品どうしを狭ピッチで並べることのできる電鋳部品を提供する。また、当該電鋳部品を製造するための電鋳部品の製造方法を提供することにある。
【課題を解決するための手段】
【０００８】
本発明に係る電鋳部品の製造方法は、
導電性基材の少なくとも一部が露出した開口を有する絶縁性の型枠の前記開口内において前記導電性基材の露出面に金属を電着させて電鋳成形品を作製する電着工程と、
前記導電性基材の表面から前記型枠を除去する型枠除去工程と、
前記電鋳成形品の表面を絶縁被膜で覆う絶縁被膜形成工程と、
前記電鋳成形品の表面の少なくとも一部に前記絶縁被膜を残して前記絶縁被膜を除去する絶縁被膜除去工程と、
を有することを特徴としている。
【０００９】
本発明の電鋳部品の製造方法によれば、電鋳成形品の製造工程において電鋳成形品の表面に絶縁被膜を形成することができるので、電鋳成形品の表面の少なくとも一部に薄い絶縁被膜を形成することができる。したがって、複数の電鋳成形品を絶縁被膜を挟んだ状態で重ね合わせることにより、複数の電鋳成形品を、電鋳成形品どうしの絶縁性を確保しながら、かつ、狭ピッチで並べることができる。また、電鋳成形品の製造工程において電鋳成形品の表面に絶縁被膜が形成されているので、複数の電鋳成形品をその製造工程において重ね合わせることができ、電鋳成形品を精度よく、かつ、歩留まりよく重ね合わせることができる。
【００１０】
前記絶縁被膜形成工程において前記電鋳成形品の表面を覆う絶縁被膜は、ドライフィルムレジストでもよく、電鋳成形品の表面に適用された液体レジストでもよい。前者によれば、絶縁被膜形成工程を簡略にすることができる。
【００１１】
前記型枠を作製するには、前記導電性基材の表面に付与された絶縁性の型枠材料の一部に前記開口を設けて前記開口内に前記導電性基材の一部が露出させればよい（型枠作製工程）。また、前記絶縁被膜除去工程の後では、表面に前記絶縁被膜を形成された前記電鋳成形品を前記導電性基材から剥離すればよい。
【００１２】
本発明に係る電鋳部品の製造方法のある実施態様は、前記絶縁被膜が、感光性被膜であって、
前記絶縁被膜除去工程が、
前記絶縁被膜形成工程の後に、前記電鋳成形品の位置を基準として前記絶縁被膜に光を照射し、前記電鋳成形品の表面の少なくとも一部にあたる領域を現像液に対して不溶化する露光工程と、
前記絶縁被膜に現像処理を行って不溶化されていない領域の前記絶縁被膜を除去する現像工程とを備えていることを特徴としている。かかる実施態様によれば、たとえばネガ型レジストとフォトリソグラフィ技術を用いて絶縁被膜を精度よくパターニングすることができる。
【００１３】
本発明に係る電鋳部品の製造方法の別な実施態様は、前記絶縁被膜が、感光性被膜であって、
前記絶縁被膜除去工程が、
前記絶縁被膜形成工程の後に、前記電鋳成形品の位置を基準として前記絶縁被膜に光を照射し、前記電鋳成形品の表面の少なくとも一部にあたる領域以外の領域を可溶化する露光工程と、
前記絶縁被膜に現像処理を行って可溶化された領域の前記絶縁被膜を除去する現像工程とを備えていることを特徴としている。かかる実施態様によれば、たとえばポジ型レジストとフォトリソグラフィ技術を用いて絶縁被膜を精度よくパターニングすることができる。
【００１４】
本発明に係る電鋳部品の製造方法のさらに別な実施態様は、
前記導電性基材の表面に付与された絶縁性の型枠材料の一部に前記開口を設けて前記開口内に前記導電性基材の一部が露出した前記型枠を作製するとともに、前記型枠材料によって位置決めマーク作製用の凹部又は凸部を形成する型枠作製工程を備え、
前記電着工程において、前記開口内に前記電鋳成形品を作製するとともに前記位置決めマーク作製用の凹部又は凸部によって凸状又は凹状の位置決めマークを作製し、
前記露光工程においては前記位置決めマークの位置を基準にして光を照射する、
ことを特徴としている。かかる実施態様によれば、電鋳成形品を作製したときに同時に作製された位置決めマークを基準として絶縁被膜をパターニングすることができるので、電鋳成形品に対して絶縁被膜の位置出しを精度良く行える。
【００１５】
本発明に係る電鋳部品の製造方法のさらに別な実施態様は、
位置決めマークを有する前記導電性基材の表面に絶縁性の型枠材料を付与する型枠材料付与工程と、
前記位置決めマークの位置を基準にして前記型枠材料の一部に前記開口を設けて前記開口内に前記導電性基材の一部が露出した前記型枠を作製する型枠作製工程と、
を備え、
前記露光工程においては前記位置決めマークの位置を基準にして光を照射する、
ことを特徴としている。かかる実施態様によれば、導電性基材に設けた位置決め孔を基準にして電鋳成形品を作製でき、また導電性基材に設けた位置決め孔を基準にして絶縁被膜をパターニングすることができるので、電鋳成形品に対して絶縁被膜の位置出しを精度良く行える。
【００１６】
本発明に係る電鋳部品の製造方法は、例えば電鋳成形品であるコンタクトの製造方法に用いることができる。
【００１７】
本発明に係るコンタクトは、
電鋳法で形成するときの電圧印加方向に対して垂直な方向に弾性変形可能なバネ部、および前記バネ部によって外部導体と圧接可能な位置に配置された端子部を備えた電鋳成形品と、
前記電鋳成形品の、前記電圧印加方向に対して垂直な主面の少なくとも一部に形成された絶縁被膜と、
を有することを特徴としている。
【００１８】
本発明のコンタクトにあっては、電鋳成形品の主面の少なくとも一部に絶縁被膜が形成されているので、複数枚の前記電鋳成形品と前記絶縁被膜とを交互に重ね合わせることにより、複数の電鋳成形品の相互の絶縁性を保ちながら、電鋳成形品どうしを狭ピッチで並べることができる。なお、ここでいう主面とは、電鋳成形品の、電鋳時における電圧印加方向に対して垂直な面を指す。また、絶縁被膜とは、電鋳成形品の酸化膜などを含まないものである。
【００１９】
本発明に係るコンタクトのある実施態様においては、電鋳成形品の片面において少なくとも一部に絶縁被膜が形成されていてもよく、電鋳成形品の両面において少なくとも一部に絶縁被膜が形成されていてもよい。
【００２０】
本発明に係るコンタクトの別な実施態様にあっては、電鋳成形品の一部にだけ絶縁被膜を形成するようにしてもよい。例えば、電鋳成形品のうち絶縁被膜から露出した領域にはＡｕメッキなどのメッキを施してもよい。
【００２１】
また、絶縁被膜は、前記電鋳成形品のバネ部を除く領域に形成していてもよい。あるいは、絶縁被膜は、前記電鋳成形品の弾性変形時における応力集中箇所を除く領域に形成していてもよい。バネ部や応力集中箇所を除く領域にだけ絶縁被膜を形成するようにすれば、絶縁被膜が電鋳成形品の弾性変形によって剥離したり、破損したりするのを防ぐことができる。
【００２２】
本発明に係る電鋳部品は、電鋳法で形成するときの電圧印加方向に対して垂直な主面の少なくとも一部に絶縁被膜が形成されたことを特徴としている。本発明の電鋳部品にあっては、主面の少なくとも一部に絶縁被膜が形成されているので、複数枚の前記電鋳成形品と前記絶縁被膜とを交互に重ね合わせることにより、複数の電鋳成形品の相互の絶縁性を保ちながら、電鋳成形品どうしを狭ピッチで並べることができる。なお、ここでいう主面とは、電鋳時における電圧印加方向に対して垂直な面を指す。また、絶縁被膜とは、電鋳成形品の酸化膜などを含まないものである。
【００２３】
なお、本発明における前記課題を解決するための手段は、以上説明した構成要素を適宜組み合せた特徴を有するものであり、本発明はかかる構成要素の組合せによる多くのバリエーションを可能とするものである。
【図面の簡単な説明】
【００２４】
【図１】図１（Ａ）−図１（Ｇ）は、従来のコンタクトの製造工程を説明する斜視図である。
【図２】図２（Ａ）、図２（Ｂ）及び図２（Ｃ）は、本発明の実施形態１における導電性基材の電解脱脂工程を示す斜視図、平面図及び断面図である。
【図３】図３（Ａ）、図３（Ｂ）及び図３（Ｃ）は、本発明の実施形態１におけるドライフィルムレジストのラミネート工程を示す斜視図、平面図及び断面図である。
【図４】図４（Ａ）及び図４（Ｂ）は、本発明の実施形態１におけるドライフィルムレジストの露光工程を示す斜視図及び平面図である。図４（Ｃ）は、図４（Ｂ）のＸ−Ｘ線断面図である。
【図５】図５（Ａ）、図５（Ｂ）及び図５（Ｃ）は、本発明の実施形態１におけるドライフィルムレジストを現像して型枠を作製する工程を示す斜視図、平面図及び断面図である。
【図６】図６（Ａ）、図６（Ｂ）及び図６（Ｃ）は、本発明の実施形態１における電鋳工程を示す斜視図、平面図及び断面図である。
【図７】図７（Ａ）、図７（Ｂ）及び図７（Ｃ）は、本発明の実施形態１における型枠の除去工程を示す斜視図、平面図及び断面図である。
【図８】図８（Ａ）、図８（Ｂ）及び図８（Ｃ）は、本発明の実施形態１における絶縁被膜（ドライフィルムレジスト）のラミネート工程を示す斜視図、平面図及び断面図である。
【図９】図９（Ａ）、図９（Ｂ）及び図９（Ｃ）は、本発明の実施形態１における絶縁被膜の露光工程を示す斜視図、平面図及び断面図である。
【図１０】図１０（Ａ）、図１０（Ｂ）及び図１０（Ｃ）は、本発明の実施形態１における露光された絶縁被膜の現像工程を示す斜視図、平面図及び断面図である。
【図１１】図１１（Ａ）、図１１（Ｂ）及び図１１（Ｃ）は、本発明の実施形態１における電鋳部品の離型の工程を示す斜視図、平面図及び断面図である。
【図１２】図１２（Ａ）及び図１２（Ｂ）は、本発明の実施形態２における導電性基材に位置決め孔を開口する工程を示す斜視図及び平面図である。図１２（Ｃ）は、図１２（Ｂ）のＹ−Ｙ線断面図である。
【図１３】図１３（Ａ）、図１３（Ｂ）及び図１３（Ｃ）は、本発明の実施形態２におけるドライフィルムレジストのラミネート工程を示す斜視図、平面図及び断面図である。
【図１４】図１４（Ａ）、図１４（Ｂ）及び図１４（Ｃ）は、本発明の実施形態２におけるドライフィルムレジストの露光工程を示す斜視図、平面図及び断面図である。
【図１５】図１５（Ａ）、図１５（Ｂ）及び図１５（Ｃ）は、本発明の実施形態２におけるドライフィルムレジストを現像して型枠を作製する工程を示す斜視図、平面図及び断面図である。
【図１６】図１６（Ａ）、図１６（Ｂ）及び図１６（Ｃ）は、本発明の実施形態２における電鋳工程を示す斜視図、平面図及び断面図である。
【図１７】図１７（Ａ）、図１７（Ｂ）及び図１７（Ｃ）は、本発明の実施形態２における型枠の除去工程を示す斜視図、平面図及び断面図である。
【図１８】図１８（Ａ）、図１８（Ｂ）及び図１８（Ｃ）は、本発明の実施形態２における絶縁被膜（ドライフィルムレジスト）のラミネート工程を示す斜視図、平面図及び断面図である。
【図１９】図１９（Ａ）、図１９（Ｂ）及び図１９（Ｃ）は、本発明の実施形態２における絶縁被膜の露光工程を示す斜視図、平面図及び断面図である。
【図２０】図２０（Ａ）、図２０（Ｂ）及び図２０（Ｃ）は、本発明の実施形態２における絶縁被膜の現像工程を示す斜視図、平面図及び断面図である。
【図２１】図２１（Ａ）、図２１（Ｂ）及び図２１（Ｃ）は、本発明の実施形態２における電鋳部品の離型の工程を示す斜視図、平面図及び断面図である。
【図２２】図２２（Ａ）及び図２２（Ｂ）は、コンタクト素子（電鋳成形品）の全面に絶縁被膜を形成したコンタクトの正面図及び斜視図である。
【図２３】図２３（Ａ）及び図２３（Ｂ）は、コンタクト素子（電鋳成形品）の一部に絶縁被膜を形成したコンタクトの正面図及び斜視図である。
【図２４】図２４（Ａ）及び図２４（Ｂ）は、コンタクト素子（電鋳成形品）の一部に絶縁被膜を形成した別なコンタクトの正面図及び斜視図である。
【図２５】図２５は、コンタクト素子（電鋳成形品）の一部に絶縁被膜を形成したさらに別なコンタクトの正面図である。
【図２６】図２６（Ａ）及び図２６（Ｂ）は、絶縁被膜を形成された複数のコンタクト素子（電鋳成形品）を狭ピッチで並べたコンタクトの側面図及び斜視図である。
【符号の説明】
【００２５】
２１      導電性基材
２２      ドライフィルムレジスト
２２ａ      露光領域
２２ｂ      型枠
２３      キャビティ
２４      凸部
２５      コンタクト素子（電鋳成形品）
２６      フレーム部
２７      位置決めマーク
２８      絶縁被膜
２８ａ      露光領域
２９、４１、５１、５２、５３      コンタクト（電鋳部品）
３１      位置決め孔
４４      バネ部
４６ａ、４６ｂ      可動接触片
【発明を実施するための形態】
【００２６】
以下、添付図面を参照しながら本発明の好適な実施形態を説明する。但し、本発明は以下の実施形態に限定されるものでなく、本発明の要旨を逸脱しない範囲において種々設計変更することができる。
【００２７】
（実施形態１）
以下、図２−図１１を参照して本発明の実施形態１による電鋳部品の製造方法を説明する。以下に述べる各実施形態においては、電鋳部品としてコンタクトを例にとって説明するが、本発明はコンタクト以外の電鋳部品にも適用することができるものである。
【００２８】
実施形態１の電鋳部品の製造方法においては、まず導電性基材２１が電解脱脂される。図２（Ａ）、図２（Ｂ）及び図２（Ｃ）は、電解脱脂の工程を示す斜視図、平面図及び断面図である（なお、図３−図１１のそれぞれの（Ａ）、（Ｂ）及び（Ｃ）も斜視図、平面図及び断面図を示す）。導電性基材２１は、表面が平坦なステンレス板であり、少なくとも上面には電着した金属成型品を容易に剥離させるための処理が施されている。導電性基材２１は、電解脱脂（電解洗浄）の工程において脱脂及び洗浄される。電解脱脂とは、アルカリ溶液中で導電性基材２１を陰極又は陽極とし、あるいは極性を交互に変化させて脱脂する方法である。
【００２９】
ついで、図３（Ａ）、図３（Ｂ）及び図３（Ｃ）に示すように、導電性基材２１の上面にネガ型のドライフィルムレジスト２２を密着させてラミネートする。ドライフィルムレジスト２２の厚みは電鋳成形品（コンタクト素子２５）の厚みよりも厚くなっており、例えば数十μｍ以上の厚みのものが好ましい。工程を簡単にする上では、ドライフィルムレジスト２２を用いることが好ましいが、液体レジストを用いてもよい。例えば、液体レジストを導電性基材２１の上面に塗布し、プリベークなどを行なってもよい。
【００３０】
導電性基材２１の上面にドライフィルムレジスト２２がラミネートされたら、直描露光装置によりドライフィルムレジスト２２に紫外線レーザーを照射し、所定領域内を走査させる。図４（Ａ）、図４（Ｂ）及び図４（Ｃ）は、この露光領域を表している。ネガ型のドライフィルムレジスト２２を用いている場合には、図４（Ａ）においてドライフィルムレジスト２２にドット柄を施した領域２２ａに沿って紫外線レーザーを走査させて露光させる。すなわち、ネガ型のドライフィルムレジスト２２を用いる場合には、コンタクト素子（２５）やフレーム部（２６）を作製しようとする領域以外の領域に沿って紫外線レーザーを走査させる。また、フレーム部に位置決めマークを作製しようとする領域にも紫外線レーザーを照射させる。このように直描露光法によれば、マスクを用いる必要がないので、露光工程が簡略になり、コストが安価になる。もっとも、本発明において、マスクを用いて露光することを排除するものではない。
【００３１】
なお、図４ではネガ型のドライフィルムレジストを用いる場合について説明したが、ポジ型やネガ永久レジストのドライフィルムレジストを用いてもよく、ネガ型やポジ型、ネガ永久レジストの液体レジストを用いても差し支えない。ポジ型を用いる場合には、図４（Ａ）のドット柄を施した領域２２ａ以外の領域に露光する。
【００３２】
ついで、露光後のドライフィルムレジスト２２を現像及びリンスすると、ネガ型のドライフィルムレジスト２２の露光領域２２ａ以外の領域が現像液によって除去され、残ったドライフィルムレジスト２２によって型枠２２ｂが形成される。よって、図５（Ａ）、図５（Ｂ）及び図５（Ｃ）に示すように、型枠２２ｂに電鋳成形品を成形するためのキャビティ２３が作製され、キャビティ２３の底面には導電性基材２１が露出する。また、フレーム部が成形される領域でもドライフィルムレジスト２２が剥離されるとともに、フレーム部が成形される領域内に位置決め用マークを成形するための凸部２４が成形される。
【００３３】
この後、導電性基材２１及び型枠２２ｂを母型として電鋳法（電気鋳造方法）によりコンタクト素子２５を成形する。図示しないが、電着工程では、母型を電解槽内に配置し、直流電源によって導電性基材２１と対向電極との間に電圧を印加して電解液に電流を流す。通電を開始すると、電解液中の金属イオンが導電性基材２１の表面に電着し、金属が析出する。一方、型枠は、電流を遮断するので、母型と対向電極との間に電圧を印加しても、型枠には直接金属が電着しない。このため、図６（Ａ）、図６（Ｂ）及び図６（Ｃ）に示すように、キャビティ２３の内部にはその底面から電圧印加方向ｄに金属が成長してゆき、キャビティ２３内でコンタクト素子２５が成形される。こうして成形されたコンタクト素子２５は、電圧印加方向と垂直な方向ｆに弾性変形可能なバネ部４４と、そのバネ部４４の弾性力によって外部導体（例えば、集積回路の端子など）に圧接可能な位置に配置された端子部４５とを備えている。また、型枠２２ｂの外側には、金属の析出によってフレーム部２６が成形される。
【００３４】
このとき、電着した金属（コンタクト素子２５）の厚みは、電流の積算通電量（すなわち、通電電流の時間積算量である。）によって管理される。単位時間あたりに析出する金属量は電流値に比例するから、キャビティ２３内の金属の体積は電流の積算通電量で決まり、金属の厚みは電流の積算通電量から知ることができるからである。
【００３５】
コンタクト素子２５が成形されたら、エッチング等によって型枠２２ｂを剥離させる。型枠２２ｂを剥離させると、図７（Ａ）、図７（Ｂ）及び図７（Ｃ）に示すように、導電性基材２１の上面には、コンタクト素子２５が付着したままで残る。また、導電性基材２１の上面に付着しているフレーム部２６には、凸部２４が剥離した後に貫通孔形状の位置決めマーク２７が形成される。
【００３６】
なお、位置決めマークとしては、導電性基材の表面に、電鋳によって形成されたポスト状の凸部であってもよい。
【００３７】
こうしてコンタクト素子２５やフレーム部２６が成形された後、図８（Ａ）、図８（Ｂ）及び図８（Ｃ）のように導電性基材２１の上方を感光性の絶縁被膜２８で覆い、コンタクト素子２５及びフレーム部２６の上面（主面）に感光性の絶縁被膜２８を密着させる。絶縁被膜２８としては、ネガ型のドライフィルムレジストを用いている。
【００３８】
なお、この絶縁被膜２８も液体レジストによって形成してもよく、またポジ型やネガ永久レジストであっても差支えない。
【００３９】
ついで、直描露光装置により絶縁被膜２８に紫外線レーザーを照射し、所定領域内を走査させる。図９（Ａ）、図９（Ｂ）及び図９（Ｃ）は、この露光領域を表している。ネガ型の絶縁被膜２８を用いている場合には、例えば図９（Ａ）において絶縁被膜２８にドット柄を施した領域２８ａに沿って紫外線レーザーを走査して露光させる。すなわち、ネガ型の絶縁被膜２８を用いる場合には、コンタクト素子２５の直上の所定領域に沿って紫外線レーザーを走査させる。このとき、直描露光装置は、絶縁被膜２８を通して見える位置決めマーク２７の位置を画像認識し、位置決めマーク２７の位置を基準として紫外線レーザーを走査させる。したがって、コンタクト素子２５の直上の所定領域に合わせて精密に紫外線レーザーを走査させて露光することが可能になる。なお、この場合も、マスクを用いて露光することも可能である。
【００４０】
ついで、露光後の絶縁被膜２８を現像及びリンスすると、ネガ型の絶縁被膜２８の露光領域２８ａ以外の領域が現像液によって除去される。よって、図１０（Ａ）、図１０（Ｂ）及び図１０（Ｃ）に示すように、コンタクト素子２５の主面（すなわち、電鋳時における電圧印加方向に対して垂直な面）の全面、あるいは所定の一部領域にのみ絶縁被膜２８が形成される。
【００４１】
この後、図１１（Ａ）、図１１（Ｂ）及び図１１（Ｃ）に示すように、上面に絶縁被膜２８を形成されたコンタクト素子２５、すなわちコンタクト２９（電鋳部品）を導電性基材２１から剥離させる。
【００４２】
上記のような製造方法によれば、微小なコンタクト素子２５の上面（主面）に均一な厚みの絶縁被膜２８を簡易な工程で形成することができ、しかも、複雑な形状をしたコンタクト素子２５の全面又は一部領域にも精度よく絶縁被膜２８を形成することができる。
【００４３】
（実施形態２）
つぎに、本発明の実施形態２による電鋳部品の製造方法を図１２−図２１により説明する。実施形態２による電鋳部品の製造方法は、実施形態１による電鋳部品の製造方法とは、露光工程における露光領域の位置決めの方法が異なるものである。したがって、実施形態１と同様な部分は簡単に説明する。
【００４４】
実施形態２の電鋳部品の製造方法においては、まず図１２（Ａ）、図１２（Ｂ）及び図１２（Ｃ）に示すように、導電性基材２１の所定位置に複数の位置決めマーク、すなわち位置決め孔３１をあける。図１２（Ａ）、図１２（Ｂ）及び図１２（Ｃ）は、位置決め孔３１を開口する工程を示す斜視図、平面図及び断面図である（なお、図１３−図２１のそれぞれの（Ａ）、（Ｂ）及び（Ｃ）も斜視図、平面図及び断面図を示す）。位置決め孔３１は、レーザー孔明け加工によって開口してもよく、ドリル加工によって開口してもよい。この後、位置決め孔３１を設けられた導電性基材２１の表面は、洗浄され、電解脱脂される。
【００４５】
なお、図示例においては、位置決めマークとしては、導電性基材２１に貫通させた位置決め孔３１を示しているが、位置決めマークとしては、円形や十文字状などの刻印、凹部などであってもよい。
【００４６】
ついで、図１３（Ａ）、図１３（Ｂ）及び図１３（Ｃ）に示すように、導電性基材２１の上面にネガ型のドライフィルムレジスト２２を密着させてラミネートする。ドライフィルムレジスト２２は、直描露光装置によりドライフィルムレジスト２２に紫外線レーザーを照射し、所定領域内を走査される。図１４（Ａ）、図１４及び図１４（Ｃ）は、この露光領域を表している。ネガ型のドライフィルムレジスト２２を用いている場合には、図４（Ａ）においてドライフィルムレジスト２２にドット柄を施した領域２２ａに沿って紫外線レーザーを走査させて露光させる。すなわち、ネガ型のドライフィルムレジスト２２を用いる場合には、コンタクト素子２５を作製しようとする領域以外の領域に沿って紫外線レーザーを走査させる。このとき、直描露光装置は、ドライフィルムレジスト２２を通して見える導電性基材２１の位置決め孔３１の位置を画像認識し、位置決め孔３１の位置を基準として紫外線レーザーを走査させる。
【００４７】
ついで、露光後のドライフィルムレジスト２２を現像及びリンスする。ネガ型のドライフィルムレジスト２２の露光領域２２ａ以外の領域は、現像液によって除去されるので、図１５（Ａ）、図１５（Ｂ）及び図１５（Ｃ）に示すように、ドライフィルムレジスト２２には、電鋳成形品を成形するためのキャビティ２３が作製される。
【００４８】
この後、図１６（Ａ）、図１６（Ｂ）及び図１６（Ｃ）に示すように、導電性基材２１及び型枠２２ｂを母型として電鋳法（電気鋳造方法）により金属を析出させると、キャビティ２３内にコンタクト素子２５が成形される。
【００４９】
コンタクト素子２５が成形されたら、エッチング等によって型枠２２ｂを剥離させると、図１７（Ａ）、図１７（Ｂ）及び図１７（Ｃ）に示すように、導電性基材２１の上面に、コンタクト素子２５が形成される。
【００５０】
コンタクト素子２５が成形された後、図１８（Ａ）、図１８（Ｂ）及び図１８（Ｃ）に示すように、導電性基材２１の上方を感光性の絶縁被膜２８（ドライフィルムレジスト）で覆い、コンタクト素子２５の上面に感光性の絶縁被膜２８を密着させる。ついで、直描露光装置により絶縁被膜２８に紫外線レーザーを照射し、所定領域内を走査させる。図１９（Ａ）、図１９及び図１９（Ｃ）は、この露光領域を表している。ネガ型の絶縁被膜２８を用いている場合には、例えば図１９（Ａ）において絶縁被膜２８にドット柄を施した領域２８ａに沿って紫外線レーザーを走査して露光させる。すなわち、ネガ型の絶縁被膜２８を用いる場合には、コンタクト素子２５の直上の所定領域に沿って紫外線レーザーを走査させる。このとき、直描露光装置は、絶縁被膜２８を通して見える位置決め孔３１の位置を画像認識し、位置決め孔３１の位置を基準として紫外線レーザーを走査させる。
【００５１】
上記のように、ドライフィルムレジスト２２に直描露光する際と絶縁被膜２８に直描露光する際とには、同じ位置決め孔３１を基準として露光領域を制御しているので、コンタクト素子２５の直上の所定領域に合わせて精密に紫外線レーザーを走査させて露光することが可能になり、コンタクト素子２５と絶縁被膜２８の成形位置の移置ずれを小さくすることができる。
【００５２】
ついで、露光後の絶縁被膜２８を現像及びリンスすると、図２０（Ａ）、図２０（Ｂ）及び図２０（Ｃ）に示すように、ネガ型の絶縁被膜２８の露光領域２８ａ以外の領域が現像液によって除去され、コンタクト素子２５の上面の全面、あるいは所定の一部領域にのみ絶縁被膜２８が形成される。
【００５３】
この後、図２１（Ａ）、図２１（Ｂ）及び図２１（Ｃ）に示すように、上面に絶縁被膜２８を形成されたコンタクト素子２５、すなわちコンタクト２９を導電性基材２１から剥離させる。
【００５４】
上記のような製造方法によっても、微小なコンタクト素子２５の上面に均一な厚みの絶縁被膜２８を簡易な工程で形成することができ、しかも、複雑な形状をしたコンタクト素子２５の全面又は一部領域にも精度よく絶縁被膜２８を形成することができる。
【００５５】
（実施形態３）
図２２（Ａ）及び図２２（Ｂ）は、上記のような製造方法により製造されたコンタクト４１（電鋳部品）、すなわち絶縁被膜２８を有するコンタクト素子２５の正面図及び斜視図である。このコンタクト素子２５は、集積回路検査用プローブとして用いられるものである。固定部４２と可動部４３の間にはジグザグに屈曲したバネ部４４が設けられており、固定部４２の先には端子部４５が設けられている。また、固定部４２と可動部４３の間は細いバネ部４４でつながれていて電気抵抗が大きくなっているので、可動部４３に設けた可動接触片４６ａと固定部４２に設けた可動接触片４６ｂを摺動自在に接触させることで固定部４２と可動部４３の間の抵抗値を小さくしている。また、コンタクト素子２５の一方の主面（電鋳時における電圧印加方向に対して垂直な面）の全体に絶縁被膜２８が形成されている。
【００５６】
このコンタクト４１は、後述のようにコンタクト素子２５どうしの絶縁性を確保しながら複数枚を狭ピッチで並べて用いるものである。複数のコンタクト４１は、ケーシング（図示せず）内に納められ、固定部４２がケーシングに固定されて端子部４５がケーシングから突出させられる。その状態で、端子部４５を集積回路の端子に接触させ、可動部４３を押し下げると、バネ部４４の弾性力によって端子部４５が集積回路の端子に圧接される。そして、例えば集積回路の各端子の導通不良などが検査される。
【００５７】
（実施形態４）
図２３（Ａ）及び図２３（Ｂ）は、上記のような製造方法により製造されたコンタクトの他例である。このコンタクト５１では、コンタクト素子２５の一方の主面において、バネ部４４を除く領域の全体に絶縁被膜２８を形成している。バネ部４４は弾性変形する部分であるので、ここに絶縁被膜２８を設けていると絶縁被膜２８がコンタクト素子２５から剥離したり、亀裂が入ったりする恐れがある。したがって、この部分には絶縁被膜２８を設けないようにしてもよい。
【００５８】
また、図２４（Ａ）及び図２４（Ｂ）は、図２３のコンタクト５１の変形例である。この変形例によるコンタクト５２では、バネ部４４にも絶縁被膜２８を設けているが、バネ部４４のうち変形量が大きくて応力が集中しやすい部分では絶縁被膜２８を除いている。バネ部４４では、比較的変形の小さな直線部分にのみ絶縁被膜２８を設けている。
【００５９】
（実施形態５）
図２５（Ａ）及び図２５（Ｂ）は、上記のような製造方法により製造されたコンタクトの他例である。このコンタクト５３では、コンタクト素子２５の一方の主面において、端子部４５を除く領域に絶縁被膜２８を形成している。このコンタクト５３では、端子部４５以外の領域に絶縁被膜２８を形成した後、端子部４５にＡｕメッキやハンダメッキなどを施している。
【００６０】
（実施形態６）
図２２から図２５に示したようなコンタクトは、図２６（Ａ）及び図２６（Ｂ）に示すように、コンタクト素子２５どうしの間に絶縁被膜２８を挟み込むようにして重ね合わせて使用される。この重ね合わせる作業は、コンタクトの製造工程において同時に行うことにより精度よく、かつ、簡単に重ね合わせることが可能になる。よって、厚みが薄くて微小なコンタクト素子を、コンタクト素子間の絶縁性を保ちながら、狭いピッチで、精度よく並べることが可能になる。
【００６１】
なお、いずれの実施形態においても、絶縁被膜はコンタクト素子の一方の主面にのみ設けていたが、コンタクト素子の両主面に絶縁被膜を設けていてもよい（図示せず）。
【図１】
2015030887.tif 000003
【図２】
2015030887.tif 000004
【図３】
2015030887.tif 000005
【図４】
2015030887.tif 000006
【図５】
2015030887.tif 000007
【図６】
2015030887.tif 000008
【図７】
2015030887.tif 000009
【図８】
2015030887.tif 000010
【図９】
2015030887.tif 000011
【図１０】
2015030887.tif 000012
【図１１】
2015030887.tif 000013
【図１２】
2015030887.tif 000014
【図１３】
2015030887.tif 000015
【図１４】
2015030887.tif 000016
【図１５】
2015030887.tif 000017
【図１６】
2015030887.tif 000018
【図１７】
2015030887.tif 000019
【図１８】
2015030887.tif 000020
【図１９】
2015030887.tif 000021
【図２０】
2015030887.tif 000022
【図２１】
2015030887.tif 000023
【図２２】
2015030887.tif 000024
【図２３】
2015030887.tif 000025
【図２４】
2015030887.tif 000026
【図２５】
2015030887.tif 000027
【図２６】
2015030887.tif 000028